(57)【特許請求の範囲】
【請求項１】
光ファイバアダプタであって、前記光ファイバアダプタは、
第１の壁、第２の壁、第３の壁及び第４の壁によって画定される収容室を有する本体部であって、前記第１の壁が前記第３の壁と対向し、且つ、前記第２の壁及び前記第４の壁と接続し、前記収容室が、軸方向に対向する、第１の開口部及び第２の開口部を有する、本体部と、
前記第１の壁上に配置された、少なくとも１つの第１の止め枕と、
前記第３の壁上に配置された、少なくとも１つの第２の止め枕と、
前記収容室の第２の開口部の方向に向かって、前記第２の壁及び前記第４の壁からそれぞれ延在する、２つの第１のフックと、
前記収容室内に配置されたフック部材であって、前記フック部材は、第５の壁、第６の壁、第７の壁及び第８の壁によって画定された収容室を有し、前記第５の壁が前記第７の壁に対向し、且つ、前記第６の壁及び前記第８の壁と接続し、前記フック部材の収容室は、軸方向に対向する、第３の開口部及び第４の開口部を有する、フック部材と、を含み、
前記フック部材は、更に、
前記フック部材の収容室の第３の開口部の方向に向かって、前記第６の壁及び前記第８の壁からそれぞれ延在する２つの第２のフックであって、前記第２のフックが、光ファイバコネクタ上に留められるように構成されている、第２のフックと、
前記フック部材の収容室の第４の開口部の方向に向かって、前記第５の壁から延在する、少なくとも１つの第３のフックであって、前記第３のフックが、前記第１の止め枕上に留められるように構成された、第３のフックと、
前記フック部材の収容室の第４の開口部の方向に向かって、前記第７の壁から延在する、少なくとも１つの第４のフックであって、前記第４のフックは前記第２の止め枕上に留められるように構成された、第４のフックと、を更に含み、
前記第１の止め枕及び前記第２の止め枕のそれぞれが、前記本体の収容室の第１の開口部に対向する斜めの側面を有し、前記第３のフック及び前記第４のフックがそれぞれ、前記第１の止め枕及び前記第２の止め枕の斜めの側面上で摺動する、光ファイバアダプタ。
【請求項２】
前記第１のフックが、前記第２の壁及び前記第４の壁と一体的に形成される、請求項１に記載の光ファイバアダプタ。
【請求項３】
前記第３のフック及び前記第４のフックが弾性である、請求項１に記載の光ファイバアダプタ。
【請求項４】
前記光ファイバアダプタがＭＰＯ型である、請求項１に記載の光ファイバアダプタ。
【請求項５】
光ファイバアダプタを組み立てる方法であって、前記方法は、
第１の壁、第２の壁、第３の壁、及び第４の壁によって画定された収容室を有する本体を提供することであって、前記第１の壁は前記第３の壁と対向し、且つ、前記第２の壁及び前記第４の壁と接続し、前記収容室は軸方向に対向する第１の開口部及び第２の開口部を有し、前記少なくとも１つの第１の止め枕及び少なくとも１つの第２の止め枕は、前記第１の壁及び前記第３の壁上にそれぞれ配置され、２つの第１のフックは、それぞれ、前記収容室の第２の開口部の方向に向かって、前記第２の壁及び前記第４の壁から延在することと、
第５の壁、第６の壁、第７の壁及び第８の壁によって画定された収容室を有するフック部材を提供することであって、前記第５の壁は前記第７の壁と対向し、且つ、前記第６の壁及び前記第８の壁と接続し、前記フック部材の収容室は、前記軸方向に対向する第３の開口部及び第４の開口部を有し、２つの第２のフックは、それぞれ、前記フック部材の収容室の第３の開口部の方向に向かって、前記第６の壁及び前記第８の壁から延在し、少なくとも１つの第３のフック及び少なくとも１つの第４のフックが、それぞれ、前記フック部材の収容室の第４の開口部の方向に向かって、前記第５の壁及び前記第７の壁から延在することと、
前記第１の開口部を介して、前記本体部の収容室の中へ前記フック部材を挿入することと、
前記第１の止め枕及び前記第２の止め枕上に、それぞれ、前記第３のフック及び前記第４のフックを摺動させることと、を含み、
前記第１の止め枕及び前記第２の止め枕のそれぞれが、前記本体の収容室の第１の開口部に対向する斜めの側面を有し、前記第３のフック及び前記第４のフックがそれぞれ、前記第１の止め枕及び前記第２の止め枕の斜めの側面上で摺動する、方法。
【請求項６】
前記第１のフックが、前記第２の壁及び前記第４の壁と一体的に形成される、請求項５に記載の方法。
【請求項７】
前記第３のフック及び前記第４のフックが弾性である、請求項５に記載の方法。
【請求項８】
前記光ファイバアダプタがＭＰＯ型である、請求項５に記載の方法。
【発明の詳細な説明】
【技術分野】
【０００１】
関連出願の相互参照
本出願は、２０１２年５月９日に出願された、中国特許出願第２０１２１０１４３５４９．７号の優先権の利益を主張し、その開示の全体は、本明細書中に、参照によって組み込まれる。
【背景技術】
【０００２】
１．発明の分野
本発明は、光ファイバダプタに関し、より具体的には、一体型光ファイバダプタに関する。
【０００３】
２．関連技術の説明
光ファイバは、世界中の通信に革命をもたらした。光ファイバの使用の増加に伴って、光ファイバを、様々なソースへ接続したり、それらのソースから切断したりできることが、ますます重要になってきている。二つの光ファイバは、コネクタ及びアダプタを使用することによって、相互に通信できるように、光学的に結合することができ、それによって、それぞれの光ファイバケーブルを他の光ファイバケーブルと通信状態に置くことができる。
コネクタは、各ケーブルの一端に配置され、そして、アダプタに接続される。アダプタは、コネクタをそれぞれが受容するように設計された、２つの開口部を有する。
【発明の概要】
【発明が解決しようとする課題】
【０００４】
しかしながら、シングルファイバ用コネクタは、高密度の適用については、やや嵩張る。従って、マルチファイバ用コネクタが、そのような問題を解決するために提供される。
【０００５】
図１を参照すると、本図は、ＭＰＯ型マルチファイバコネクタ１１０、１１０’及び、それらに対応する光ファイバアダプタ１６０を示す。コネクタ１１０は、その前方端部から突出するガイドピン１１２を有し、コネクタ１１０’は、その前方端部に配置された対応する孔１１２’を有する。コネクタ１１０、１１０’がアダプタ１６０を介して互いに接続する場合、ガイドピン１１２は、孔１１２’内に挿入され、アダプタ１６０内のフック１６２はコネクタ１１０の２つの凹部１１４上、及び、コネクタ１１０’の２つの凹部１１４’上に、それぞれ留められる。この時、コネクタ１１０のフェルール１１８は、コネクタ１１０’のフェルール１１８’に接触される。
【０００６】
図２を参照すると、従来のアダプタ１６０は、典型的には、外側筐体の２つの半割部１６４から構成されている。外側筐体の各半割部１６４は、一般的に、一端にフランジ１６６を有する角柱から構成されている。外側筐体の各半割部１６４の内側に、内側筐体の半割部１６８を配置することができる。一旦内側筐体が、それぞれ外側筐体の半割部１６４に挿入されると、外側筐体の２つの半割部１６４は、外側筐体の半割部１６４の２つのフランジ１６６に、超音波溶接によって接続される。
【０００７】
２つの半割部１６４は、超音波溶接されるため、溶接線が光ファイバアダプタ１６０上に存在する。更に、光ファイバアダプタ１６０は、より多くの部品を有しているため、組み立てに時間がかかる。
【０００８】
従って、上述の問題を解決するための解決策の提供が求められている。
【課題を解決するための手段】
【０００９】
本開示は、部品点数が少なく、組み立てがより簡潔かつ簡単である、光ファイバアダプタを提供する。
【００１０】
一実施形態において、本開示の光ファイバアダプタは、本体部及びフック部材を含む。本体部は、第１の壁、第２の壁、第３の壁、及び第４の壁によって画定される収容室を有し、第１の壁は第３の壁に対向し、且つ、第２及び第４の壁と接続しており、収容室は、軸方向に対向する、第１及び第２の開口部を有する。少なくとも１つの第１の止め枕が、第１の壁上に配置され、且つ、少なくとも１つの第２の止め枕が、第３の壁上に配置される。２つの第１のフックは、それぞれ、第２及び第４の壁から、収容室の第２の開口部の方向に向かって延在し、第１のフックは、光ファイバコネクタへ留められるように構成される。フック部材は、収容室内に配置され、第５の壁、第６の壁、第７の壁及び第８の壁によって画定される収容室を有し、第５の壁は第７の壁に対向し、且つ、第６及び第８の壁と接続しており、フック部材の収容室は、軸方向に対向する、第３及び第４の開口部を有する。フック部材は、更に、２つの第２のフック、少なくとも１つの第３のフック、及び少なくとも１つの第４のフックを含む。第２のフックは、それぞれ、第６及び第８の壁から、フック部材の収容室の第３の壁の方向に向かって延在し、第２のフックは、光ファイバコネクタ上に留められるように構成される。第３のフックは、第５の壁から、フック部材の収容室の第４の開口部の方向に向かって延在し、第３のフックは、第１の止め枕に留められるように構成される。第４のフックは、第７の壁から、フック部材の収容室の第４の開口部の方向に向かって延在し、第４のフックは、第２の止め枕に留められるように構成される。
【００１１】
本開示は、更に、上記の光ファイバアダプタの組み立て方法を提供する。フック部材を第１の開口部を介して、本体部の収容室内へ挿入する。第３及び第４のフックを、それぞれ、第１及び第２の止め枕上で摺動させる。
【００１２】
上記と同様に、本開示の追加の目的、特徴及び利点も、以下の詳細な説明からより用意に明らかになり、添付の図面を参照することによって促進されるであろう。
【図面の簡単な説明】
【００１３】
【図１】従来技術のＭＰＯ型光ファイバコネクタ及びアダプタの上部斜視図である。
【図２】従来技術のＭＰＯ型光ファイバコネクタ及びアダプタの分解図である。
【図３ａ】本開示の光ファイバアダプタの本体部の別の斜視図である。
【図３ｂ】本開示の光ファイバアダプタの本体部の別の斜視図である。
【図３ｃ】本開示の光ファイバアダプタの本体部の別の斜視図である。
【図４ａ】本開示の光ファイバアダプタのフック部材の別の斜視図である。
【図４ｂ】本開示の光ファイバアダプタのフック部材の別の斜視図である。
【図５】本開示による、光ファイバアダプタの本体部及びフック部材を示す。
【図６】本開示の一実施形態による、光ファイバアダプタの分解図である。
【図７】本開示の光ファイバアダプタの断面図である。
【図８】本開示の別の実施形態による、光ファイバアダプタの分解図である。
【発明を実施するための形態】
【００１４】
好ましい実施形態の詳細な説明
【００１５】
図３ａ〜３ｃを参照すると、本開示によるＭＰＯ型光ファイバアダプタは、一体成型されたプラスチック本体部３１０を含む。本体部３１０は、略矩形であり、上部側壁３１１、底部側壁３１２、右側側壁３１３、及び左側側壁３１４によって画定された収容室３１５を有し、上部側壁３１１は底部側壁３１２と対向し、且つ、右側側壁３１３及び左側側壁３１４と接続している。収容室３１５は、軸方向に対向する第１の開口部３１７及び第２の開口部３１８を有し、それらを介して、光ファイバコネクタは、収容室３１５へ挿入され得る。少なくとも１つの止め枕３２２、例えば２つの止め枕３２２は、底部側面３１２上に配置され、且つ、少なくとも１つの止め枕３２１、例えば２つの止め枕３２１は、上部側壁３１１上に配置される。止め枕３２１及び３２２のそれぞれは、狭い上部表面、広い底部表面、及び収容室３１５の第１の開口部３１７に対向する傾斜側面３２９、及び、収容室３１５の第２の開口部３１８に対向する垂直側面を有する。２つの平行する突起３２２は、上部側壁３１１上で、且つ、第２の開口部３１８の近くに形成される。従って、インデント３１１は、突起３３２の間に形成され、インデント３３１は図１の光ファイバコネクタ１１０’上の突起１１７’の幅よりも僅かに大きな幅を有する。更に、フック３４２は、右側及び左側側壁３１３、３１４にそれぞれ形成される。２つのフック３４２は、互いに対向するように配置され、第２の開口部３１８に向かって延在する。一実施形態において、フック３４２は、右側及び左側側壁３１３、３１４とそれぞれ一体的に形成される。
【００１６】
図４ａ及び図４ｂを参照すると、本開示の光ファイバアダプタは、一体成型されたプラスチックのフック部材４１０を更に含む。フック部材４１０は、上部側壁４１１、底部側壁４１２、右側側壁４１３及び左側側壁４１４によって画定された収容室４１５を有し、上部側壁４１１は底部側壁４１２と対向し、且つ、右側側壁４１３及び左側側壁４１４と接続している。収容室４１５は、軸方向に対向する、第１の開口部４１７及び第２の開口部４１８を有する。フック４４２は、右側及び左側側壁４１３、４１４のそれぞれの上に形成される。２つのフック４４２は、互いに対向するように配置され、且つ、開口部４１７に向かって延在する。矩形の突起４２１は、上部側壁４１１上で、且つ収容室４１５の外側に形成される。矩形インデント４３１は、上部側壁４１１上で、且つ収容室４１５の内側に形成され、インデント４３１は、図１の光ファイバコネクタ１１０’上の突起１１７’の幅よりも僅かに大きい幅を有する。更に、少なくとも１つの弾性フック４５２、例えば２つのフック４５２は、上部及び底部側壁４１１、４１２のそれぞれの上に形成される。フック４５２は、第２の開口部４１８に向かって延在するように配置される。
【００１７】
図５を参照すると、本開示の光ファイバアダプタを組み立てることを所望する場合、フック部材４１０は、収容室３１５へ第１の開口部３１７を介して挿入される。フック部材４１０が、収容室３１５中へ押し込まれ続けられる場合、上部及び底部側面４１１、４１２上のフック４５２は、まず、それぞれ、止め枕３２１、３２２に接触する。フック４５２は弾性であるため、フック４５２はそれぞれ、止め枕３２１、３２２によって変形させられるように押され、また、フック部材４１０が収容室３１５内へ押し込まれる場合、止め枕３２１、３２２の斜めのスライド表面３９２上に摺動される。図６は、フック部材４１０が、本体部材３１０内に配置されることを示す、上部斜視図である。図７を参照すると、フック４５２が止め枕３２１、３２２を通過した後、引っ張り力がフック部材４１０上に加えられると、フック４５２はそれぞれ、止め枕３２１、３２２の垂直側面上に留められる。従って、この配置は、フック４１０が、第１の開口部３１７を介して、収容室３１５から引き出されるのを防ぐ。
【００１８】
インデント４３１が、本体部材３１０の上部側壁３１１上のインデント３３１と連絡するように配置されるように、フック４１０が本体部材３１０内に配置され得ることを理解すべきである。これは図６において見られる。あるいは、フック４１０が本体部材３１０内に配置される場合、インデント４３１は、インデント３３１に対して反対側に配置され得る。この配置は図８に見られる。
【００１９】
操作時に、図１のＭＰＯ型光ファイバコネクタ１１０及び１１０’は、それぞれ、第１及び第２の開口部３１７、３１８を介して、本体部材３１０の収容室３１５内へ挿入される。光ファイバコネクタ１１０、１１０’が完全に本体部材３１０へ挿入されると、光ファイバコネクタ１１０及び１１０’上の突起１１７’は、それぞれ、上部側壁３１１上のフック部材４１０及びインデント３３１上のインデント４３１内に配置される。更に、フック４４２、３４２は、それぞれ、コネクタ１１０及び１１０’の凹部１１４、１１４’上に留められる。コネクタ１１０のガイドピン１１２は、コネクタ１１０’のガイド孔１１２’内へ挿入され、且つ、コネクタ１１０のフェルール１１８もコネクタ１１０’のフェルール１１８’と接触される。
【００２０】
本開示の光ファイバアダプタによると、時間が経過した後、応力によりアダプタの２つの半割部が互いに分離してしまうという、従来技術の問題は、本体部が一体型であるため解決できる。
【００２１】
本開示の好ましい実施形態は、例示の目的のために開示したが、当業者は、添付の特許請求の範囲に開示した、開示の範囲及び精神から逸脱することなく、様々な変化形、追加、及び置換が可能であることを理解する。
【図１】
0005518139.tif 000002
【図２】
0005518139.tif 000003
【図３ａ】
0005518139.tif 000004
【図３ｂ】
0005518139.tif 000005
【図３ｃ】
0005518139.tif 000006
【図４ａ】
0005518139.tif 000007
【図４ｂ】
0005518139.tif 000008
【図５】
0005518139.tif 000009
【図６】
0005518139.tif 000010
【図７】
0005518139.tif 000011
【図８】
0005518139.tif 000012